【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
第１の光ビームによりデータの記録及び／又は再生を行うことが可能な第１のディスクを載置して回転させる第１のディスク回転機構と、
前記第１の光ビームを出射して前記第１のディスクに対して記録及び／又は再生を行う第１の光ヘッドと、
前記第１の光ヘッドを前記第１のディスクの略半径方向へ移送させる第１の光ヘッド移動機構と、
第２の光ビームによりデータの記録及び／又は再生を行うことが可能な第２のディスクを載置して回転させる第２のディスク回転機構と、
前記第２の光ビームを出射して前記第２のディスクに対して記録及び／又は再生を行う第２の光ヘッドと、
前記第２の光ヘッドを前記第２のディスクの略半径方向へ移送させる第２の光ヘッド移動機構と、
前記第１のディスク回転機構と、前記第１の光ヘッドと、前記第１の光ヘッド移動機構と、前記第２のディスク回転機構と、前記第２の光ヘッドと、前記第２の光ヘッド移動機構とが搭載された移送ベースと、
前記第１のディスクに対して記録及び／又は再生を行うための第１のトレイ位置と、前記第２のディスクに対して記録及び／又は再生を行うための第２のトレイ位置と、前記第１のディスク及び前記第２のディスクの載置及び取り出しを行うための第３のトレイ位置とに搬送されるディスクトレイと、
前記第１のトレイ位置における前記第１のディスクの回転中心と前記第２のトレイ位置における前記第２のディスクの回転中心とを結ぶ直線に対して略直交し、且つ前記第１のディスク面及び前記第２のディスク面と略平行な第１の方向に前記ディスクトレイを搬送する第１のディスクトレイ搬送機構と、
前記第１のトレイ位置における前記第１のディスクの回転中心と前記第２のトレイ位置における前記第２のディスクの回転中心とを結ぶ直線と平行で、且つ前記第１のディスク面及び前記第２のディスク面と略平行な第２の方向に前記ディスクトレイを搬送する第２のディスクトレイ搬送機構と、
前記ディスクトレイにディスクが載置されると、載置されたディスクが前記第１のディスク及び前記第２のディスクのうちの何れであるかを判別するディスク判別手段と
を備え、
前記ディスク判別手段による判別結果に従い、前記第１のディスクトレイ搬送機構は、前記ディスクトレイを前記第１のトレイ位置と前記第３のトレイ位置との間で搬送し、前記第２のディスクトレイ搬送機構は、前記ディスクトレイを前記第１のトレイ位置と前記第２のトレイ位置との間で搬送する、
ことを特徴とするディスク装置。
【請求項２】
前記第１の方向に沿った前記ディスクトレイの搬送経路の始端位置及び終端位置に前記ディスクトレイがあるか否かをそれぞれ検知する第１の始端検知手段及び第１の終端検知手段と、
前記第２の方向に沿った前記ディスクトレイの搬送経路の始端位置及び終端位置に前記ディスクトレイがあるか否かをそれぞれ検知する第２の始端検知手段及び第２の終端検知手段と、
を備えることを特徴とする請求項１に記載のディスク装置。
【請求項３】
前記第１のトレイ位置と、前記第２のトレイ位置と、前記第３のトレイ位置とが、略同一平面内にある請求項２に記載のディスク装置。
【請求項４】
前記移送ベースが前記ディスクトレイに対して接近して前記第１のディスクが前記第１のディスク回転機構に対して装着される状態、または前記第２のディスクが前記第２のディスク回転機構に対して装着される状態となることを検知する上昇終端検知手段と、前記移送ベースが前記ディスクトレイに対して離反する動作の終端を検知する下降終端検知手段を具備することを特徴とする請求項３に記載のディスク装置。
【請求項５】
前記ディスクトレイが前記第１のトレイ位置と前記第２のトレイ位置の間を移動する際、および前記ディスクトレイが前記第１のトレイ位置と前記第３のトレイ位置の間を移動する際には、前記下降終端検知手段により前記移送ベースが前記ディスクトレイに対して離反する動作の終端状態であることが検知されている請求項４に記載のディスク装置。
【請求項６】
前記移送ベースが前記ディスクトレイに対して接近する動作を行う際には、
前記第１の始端検知手段により前記ディスクトレイが前記第１の方向に沿った始端位置にあることを検知されており、
前記第２の始端検知手段により前記ディスクトレイが前記第２の方向に沿った始端位置にあることを検知されているか、または、前記第２の終端検知手段により前記ディスクトレイが前記第２の方向に沿った終端位置にあることを検知されている、
ことを特徴とする請求項５に記載のディスク装置。
【請求項７】
前記第１のディスクは第１のディスクカートリッジに収納され、前記第２のディスクは前記第１のディスクカートリッジとは少なくとも外形形状の一部が異なる第２のディスクカートリッジに収納される請求項６に記載のディスク装置。
【請求項８】
前記ディスク判別手段は、第１の検知スイッチと第２の検知スイッチとからなり、
前記第１のディスクカートリッジが前記ディスクトレイに載置された場合、前記第２のディスクカートリッジが前記ディスクトレイに載置された場合、または前記第１のディスクカートリッジおよび前記第２のディスクカートリッジの何れも前記ディスクトレイに載置されない場合のうちの、何れの場合であるかを、前記第１の検知スイッチと前記第２の検知スイッチの検知状態の組み合わせによる判定する請求項７に記載のディスク装置。
【請求項９】
前記第１のディスクおよび／または前記第２のディスク、または前記第１のディスクを収納した第１のディスクカートリッジおよび／または前記第２のディスクを収納した第２のディスクカートリッジが前記ディスクトレイに載置されていることを検知するメディア検知手段を具備し、
前記ディスクトレイが前記第３のトレイ位置から前記第１のトレイ位置に移動した際に、前記メディア検知手段で前記ディスクトレイ上に何れのディスクおよびディスクカートリッジも検知されない場合には、前記ディスクトレイは前記第２のトレイ位置には移動しない、
ことを特徴とする請求項８に記載のディスク装置。
【請求項１０】
前記メディア検知手段は、発光素子と受光素子により構成され、前記発光素子より発光された光の前記受光素子による検知手段により前記ディスクトレイ上のディスクの有無を判別する請求項９に記載のディスク装置。
【請求項１１】
前記発光素子の発光時間または前記受光素子の受光時間は、前記ディスクトレイが前記第３の位置から前記第１の位置への移動した後の特定時間、あるいは前記ディスクトレイが前記第２の位置から前記第１の位置への移動した後の特定時間のみである請求項１０に記載のディスク装置。
【請求項１２】
前記第１の光ヘッドが前記第１のディスクの略半径方向に関する可動範囲のうち最内周位置にあることを検知する第１の内周検知手段と、前記第２の光ヘッドが前記第２のディスクの略半径方向に関する可動範囲のうち最内周位置にあることを検知する第２の内周検知手段と、を備え、
前記ディスクトレイが前記第１のトレイ位置と前記第２のトレイ位置の間を移動する際、および前記ディスクトレイが前記第１のトレイ位置と前記第３のトレイ位置の間を移動する際には、前記第１の内周検知手段および前記第２の内周検知手段により前記第１の光ヘッドおよび前記第２の光ヘッドが共に最内周位置にあることが検知されている、
ことを特徴とする請求項１１に記載のディスク装置。
【手続補正２】
【補正対象書類名】明細書
【補正対象項目名】００２２
【補正方法】変更
【補正の内容】
【００２２】
本発明のディスク装置は、第１の光ビームによりデータの記録及び／又は再生を行うことが可能な第１のディスクを載置して回転させる第１のディスク回転機構と、前記第１の光ビームを出射して前記第１のディスクに対して記録及び／又は再生を行う第１の光ヘッドと、前記第１の光ヘッドを前記第１のディスクの略半径方向へ移送させる第１の光ヘッド移動機構と、第２の光ビームによりデータの記録及び／又は再生を行うことが可能な第２のディスクを載置して回転させる第２のディスク回転機構と、前記第２の光ビームを出射して前記第２のディスクに対して記録及び／又は再生を行う第２の光ヘッドと、前記第２の光ヘッドを前記第２のディスクの略半径方向へ移送させる第２の光ヘッド移動機構と、前記第１のディスク回転機構と、前記第１の光ヘッドと、前記第１の光ヘッド移動機構と、前記第２のディスク回転機構と、前記第２の光ヘッドと、前記第２の光ヘッド移動機構とが搭載された移送ベースと、前記第１のディスクに対して記録及び／又は再生を行うための第１のトレイ位置と、前記第２のディスクに対して記録及び／又は再生を行うための第２のトレイ位置と、前記第１のディスク及び前記第２のディスクの載置及び取り出しを行うための第３のトレイ位置とに搬送されるディスクトレイと、前記第１のトレイ位置における前記第１のディスクの回転中心と前記第２のトレイ位置における前記第２のディスクの回転中心とを結ぶ直線に対して略直交し、且つ前記第１のディスク面及び前記第２のディスク面と略平行な第１の方向に前記ディスクトレイを搬送する第１のディスクトレイ搬送機構と、前記第１のトレイ位置における前記第１のディスクの回転中心と前記第２のトレイ位置における前記第２のディスクの回転中心とを結ぶ直線と平行で、且つ前記第１のディスク面及び前記第２のディスク面と略平行な第２の方向に前記ディスクトレイを搬送する第２のディスクトレイ搬送機構と、前記ディスクトレイにディスクが載置されると、載置されたディスクが前記第１のディスク及び前記第２のディスクのうちの何れであるかを判別するディスク判別手段とを備え、前記ディスク判別手段による判別結果に従い、前記第１のディスクトレイ搬送機構は、前記ディスクトレイを前記第１のトレイ位置と前記第３のトレイ位置との間で搬送し、前記第２のディスクトレイ搬送機構は、前記ディスクトレイを前記第１のトレイ位置と前記第２のトレイ位置との間で搬送する、ことを特徴とする。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】変更
【補正の内容】
【００２５】
本発明のディスク装置によれば、ディスクがディスクトレイに載置されることにより、ディスク判別手段が、そのディスクが第１のディスク及び第２のディスクのうちの何れであるかを判別するので、ディスクをそれに対応した光ヘッドが設けられている位置まで誤りなく搬送することができる。したがって、ディスクと光ヘッドとの不一致による記録又は再生動作の停止とディスクの再搬送とを回避できる。その結果、ディスクに対して記録及び／又は再生を開始するまでの時間が延長するのを防止することが可能となる。また、前記ディスク判別手段による判別結果に従い、第１のディスクトレイ搬送機構はディスクトレイを第１のトレイ位置と第３のトレイ位置との間で搬送し、第２のディスクトレイ搬送機構はディスクトレイを第１のトレイ位置と第２のトレイ位置との間で搬送する。したがって、使用頻度の高い光ヘッドを第１の光ヘッドとすることで、第１のディスクに対して記録及び／又は再生が開始されるまでの時間を短縮することができる。
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】変更
【補正の内容】
【００２８】
上記ディスク装置において、第１の方向に沿ったディスクトレイの搬送経路の始端位置（つまり第１のトレイ位置に対応する位置）及び終端位置（つまり第３のトレイ位置に対応する位置）に前記ディスクトレイがあるか否かをそれぞれ検知する第１の始端検知手段及び第１の終端検知手段と、第２の方向に沿ったディスクトレイの搬送経路の始端位置（つまり第１のトレイ位置に対応する位置）及び終端位置（つまり第２のトレイ位置に対応する位置）に前記ディスクトレイがあるか否かをそれぞれ検知する第２の始端検知手段及び第２の終端検知手段と、を備えるようにしてもよい。これにより、ディスクトレイの位置を正確に検出することができるため、誤動作を回避することが可能となる。
【手続補正９】
【補正対象書類名】明細書
【補正対象項目名】００２９
【補正方法】変更
【補正の内容】
【００２９】
また、上記ディスク装置において、前記第１のトレイ位置と、前記第２のトレイ位置と、前記第３のトレイ位置とが、略同一平面内にあることが好ましい。これにより、ディスクトレイを移動させる機構を簡略化でき、またディスク装置の薄型化が可能になる。
【手続補正１０】
【補正対象書類名】明細書
【補正対象項目名】００３０
【補正方法】変更
【補正の内容】
【００３０】
また、上記ディスク装置において、前記移送ベースが、前記第１のディスク回転機構と前記第１の光ヘッドと前記第１の光ヘッド移動機構とが搭載された第１の移送ベースと、前記第２のディスク回転機構と前記第２の光ヘッドと前記第２の光ヘッド移動機構とが搭載された第２の移送ベースとに分割されていても良い。これにより、第１のディスク回転機構と第２のディスク回転機構、及び第１の光ヘッドと第２の光ヘッドが互いに高さなどの寸法が異なる場合、あるいは第１のディスクと第２のディスクの一方のみがカートリッジに収納されている場合などに、ディスク面と光ヘッドとの距離を個別に調整するのが容易になる。
【手続補正１１】
【補正対象書類名】明細書
【補正対象項目名】００３５
【補正方法】変更
【補正の内容】
【００３５】
また、前記移送ベースが前記ディスクトレイに対して接近する動作を行う際には、前記第１の始端検知手段により前記ディスクトレイが前記第１の方向に沿った始端位置（つまり第１のトレイ位置に対応する位置）にあることを検知されており、前記第２の始端検知手段により前記ディスクトレイが前記第２の方向に沿った始端位置（つまり第１のトレイ位置に対応する位置）にあることを検知されているか、または、前記第２の終端検知手段により前記ディスクトレイが前記第２の方向に沿った終端位置（つまり第２のトレイ位置に対応する位置）にあることを検知されている、ように構成することが好ましい。これにより、前記ディスクトレイの前記第１の方向に関する位置を確認することができる。また、移送ベースがディスクトレイに対して接近する動作を行う際には、ディスクトレイが第２の方向に沿った始端位置または終端位置にあることが検知された状態で行わせることができる。
【手続補正１２】
【補正対象書類名】明細書
【補正対象項目名】００３６
【補正方法】変更
【補正の内容】
【００３６】
また、本発明の一実施形態に係るディスク装置は、ディスクを載置して回転させるディスク回転機構と、光ビームを出射して前記ディスクに対して記録及び／又は再生を行う複数の光ヘッドと、前記光ヘッドを前記ディスクの略半径方向に案内する光ヘッド案内手段と、前記ディスク回転機構と、前記光ヘッド案内手段と、これらが搭載された移送ベースとを含む移送ユニットと、前記光ヘッド案内手段に対して前記ディスク回転機構とは反対の側に配置され、前記複数の光ヘッドを格納する光ヘッド格納手段と、前記ディスク回転機構に前記ディスクが載置され回転される第１のトレイ位置と、前記ディスクの載置及び取り出しを行う第２のトレイ位置とに搬送されるディスクトレイと、前記ディスクトレイにディスクが載置されると、載置された前記ディスクの種類を判別し、前記複数の光ヘッドの中から載置された前記ディスクに対して記録及び／又は再生を行う光ヘッドを選択するディスク判別手段とを備え、前記ディスク判別手段によって選択された光ヘッドが、前記光ヘッド格納手段から前記移送ユニットに直線的に移動できるように、前記移送ユニット又は前記光ヘッド格納手段が移動するように構成されている。
この場合、ディスクがディスクトレイに載置されることにより、ディスク判別手段が、そのディスクの種類を判別し、複数の光ヘッドの中から載置されたディスクに対して記録及び／又は再生を行う光ヘッドを選択するので、ディスクと光ヘッドとの不一致による記録又は再生動作の停止と光ヘッドの交換動作とを回避できる。その結果、ディスクに対して記録及び／又は再生を開始するまでの時間が延長するのを防止することが可能となる。
【手続補正１３】
【補正対象書類名】明細書
【補正対象項目名】００３７
【補正方法】変更
【補正の内容】
【００３７】
このディスク装置において、選択された前記光ヘッドが前記光ヘッド格納手段から前記移送ユニットに移動する方向は、前記光ヘッド案内手段による前記光ヘッドの案内方向と同一であることが好ましい。これにより、光ヘッド格納手段と移送ユニットとの間での光ヘッドの移載動作が容易になる。
【手続補正１４】
【補正対象書類名】明細書
【補正対象項目名】００３８
【補正方法】変更
【補正の内容】
【００３８】
また、上記ディスク装置の前記光ヘッド格納手段において、複数の前記光ヘッドは、それぞれの光ビームの出射方向が同一方向となるような向きを向いて格納されることが好ましい。これにより、光ヘッドを光ヘッド格納手段と移送ユニットとの間で移載する際に光ヘッドを回転させる必要がないので、ディスク装置の薄型化が可能になり、また、光ヘッドに接続された配線が捩られない。
【手続補正１５】
【補正対象書類名】明細書
【補正対象項目名】００３９
【補正方法】変更
【補正の内容】
【００３９】
また、上記ディスク装置において、前記光ヘッド格納手段に格納された前記複数の光ヘッドの配列方向は、前記光ヘッド案内手段による前記光ヘッドの案内方向と略直交することが好ましい。これにより、移送ユニット又は光ヘッド格納手段を平行移動させることにより、移送ユニットに搭載する光ヘッドの交換が可能になるので、機構を簡単化できる。
【手続補正１６】
【補正対象書類名】明細書
【補正対象項目名】００４０
【補正方法】変更
【補正の内容】
【００４０】
以上の発明に係るディスク装置において、前記第１のディスクは第１のディスクカートリッジに収納され、前記第２のディスクは前記第１のディスクカートリッジとは少なくとも外形形状の一部が異なる第２のディスクカートリッジに収納されていても良い。この場合には、所謂、カートリッジ収納タイプのディスクについて、以上の発明と同様の作用効果が得られる。特に、異なる光学系により記録及び／又は再生が行われる、略同一の外形を有する光ディスクメディアであっても、異なる外形形状を有するカートリッジに収納することにより、光ディスクメディアの種類の判別が可能になる。
【手続補正１７】
【補正対象書類名】明細書
【補正対象項目名】００４２
【補正方法】変更
【補正の内容】
【００４２】
以上の発明に係るディスク装置において、特に、前記第１のディスクおよび／または前記第２のディスク、または前記第１のディスクを収納した第１のディスクカートリッジおよび／または前記第２のディスクを収納した第２のディスクカートリッジが前記ディスクトレイに載置されていることを検知するメディア検知手段を具備することが好ましい。これにより、ディスクトレイへのディスク或いはディスクカートリッジの載置の有無がより確実に検知される。また、特に、前記ディスクトレイが前記第３のトレイ位置から前記第１のトレイ位置に移動した際に、前記メディア検知手段で前記ディスクトレイ上に何れのディスクおよびディスクカートリッジも検知されない場合には、前記ディスクトレイは前記第２のトレイ位置には移動しないことが好ましい。これにより、何れのディスクおよびディスクカートリッジも載置されていないディスクトレイの無駄な動きが無くなる。
【手続補正１８】
【補正対象書類名】明細書
【補正対象項目名】００４５
【補正方法】削除
【補正の内容】